(57)【要約】      （修正有）【課題】省電力かつ外部への影響を低減して使用制限の制御を行うことが可能な携帯端末装置及びその使用制限方法を提供すること。【解決手段】携帯電話１とキー３との間で、それぞれ固有の携帯電話コード及びキーコードを無線通信することで、認証を行い、認証が成立した場合にのみ携帯電話１の使用制限を解除する。携帯電話１が使用制限状態にあるときには、携帯電話１に設けられた認証ボタン１８が押下されたときに、認証のための無線通信が行われる。【選択図】図１
2006319649.tif 000002
【特許請求の範囲】
【請求項１】
所定の機能についての使用制限を制御する機能制御手段と、
指定された認証開始操作がなされたときに認証開始指示を出力する認証開始手段と、
前記認証開始指示に基づいて、外部の無線装置に対して認証要求を行う認証要求送信手段と、
前記無線装置から、前記認証要求に対する認証応答を受信する認証応答受信手段と、
前記受信した認証応答に基づいて、前記使用制限の解除を許諾可能な無線装置からのものであるかを判定し、前記無線装置との距離が第一の距離より短い場合に、認証成立の判定を行う認証判定手段と
を備え、
前記機能制御手段は、前記認証判定手段による認証が成立している間のみ、前記所定の機能の使用制限を解除する携帯端末装置。
【請求項２】
請求項１に記載の携帯端末装置であって、
前記認証開始操作として認証開始の入力を受け付ける認証開始指示入力手段を更に備える携帯端末装置。
【請求項３】
請求項１又は２に記載の携帯端末装置であって、
前記認証判定手段は、指定された操作を検出したときに、前記認証成立を解除する携帯端末装置。
【請求項４】
請求項１ないし３のいずれか一項に記載の携帯端末装置であって、
前記認証判定手段は、操作入力が所定時間検出されない場合に前記認証成立を解除する携帯端末装置。
【請求項５】
請求項１ないし４のいずれか一項に記載の携帯端末装置であって、
前記認証成立された後に、前記認証要求送信手段、前記認証要求応答受信手段は前記無線装置との認証動作を所定時間毎に行い、
前記認証判定手段は、前記認証された無線装置との距離が、前記第一の距離より長い第二の距離を超えた場合に、前記認証成立を解除する携帯端末装置。
【請求項６】
請求項１ないし５のいずれか一項に記載の携帯端末装置であって、
前記使用制限の解除を許諾可能な複数の無線装置の各々に対応付けられた識別情報を記憶する識別情報記憶手段を更に備え、
前記認証応答判定手段は、前記受信した認証応答に含まれる無線装置の識別情報と前記記憶された識別情報とを比較して、前記受信した認証応答が認証可能な無線装置からのものであるかを判定すると共に、どの無線装置のものかを特定し、
前記機能制御手段は、前記特定された無線装置に対する認証が成立した場合に、前記特定された無線装置に対応した機能の使用制限を解除する携帯端末装置。
【請求項７】
請求項６に記載の携帯端末装置であって、
前記認証判定手段が、所定距離以内に、前記使用制限の解除を許諾可能な無線装置が複数存在すると判定した場合に、候補となる無線装置を提示する提示手段を更に備える携帯端末装置。
【請求項８】
請求項６又は７に記載の携帯端末装置であって、
前記機能制御手段は、前記特定された無線装置に対する認証が成立した場合に、前記特定された無線装置に対応したデータを外部から取得する携帯端末装置。
【請求項９】
請求項８に記載の携帯端末装置であって、
前記機能制御手段は、前記特定された無線装置に対する認証が成立状態から不成立状態に遷移した場合に、前記外部から取得した特定された無線装置に対応したデータを自動的に破棄する携帯端末装置。
【請求項１０】
所定の機能の使用制限を制御する携帯端末装置の使用制限方法であって、
指定された認証開始操作がなされたときに認証開始指示を出力するステップと、
前記認証開始指示に基づいて、外部の無線装置に対して認証要求を行うステップと、
前記無線装置から、前記認証要求に対する認証応答を受信するステップと、
前記受信した認証応答に基づいて、前記使用制限の解除を許諾可能な無線装置からのものであるかを判定するステップと、
前記無線装置との距離を検出するステップと、
前記認証応答が前記使用制限の解除を許諾可能な無線装置からのものであり、かつ、前記無線装置との距離が第一の距離より短い場合に、認証成立の判定を行うステップと、
前記認証判定手段による認証が成立している間のみ、前記所定の機能の使用制限を解除するステップと
を有する携帯端末装置の使用制限方法。
【発明の詳細な説明】
【技術分野】
【０００１】
本発明は、携帯端末装置及びその使用制限方法に関する。
【背景技術】
【０００２】
従来、携帯電話機などの各種機器が置き忘れや盗難などにより無断使用されるのを防止することを目的として、携帯電話機の通話機能を携帯電話機が所有者から一定距離以上離れると制限する機器の使用制限装置があった。
【０００３】
この使用制限装置では、携帯電話機の所有者が携帯する識別信号送信ユニットと、携帯電話機に内蔵された使用制限解除ユニットとの間で識別コードの送受信が行われ、両ユニットが一定距離以上離れたときに、解除ユニットが携帯電話機の使用制限の解除信号を停止させるものである（例えば、特許文献１参照）。
【特許文献１】特開平１１−８８４９９号公報
【発明の開示】
【発明が解決しようとする課題】
【０００４】
しかしながら、上記の機器の使用制限装置にあっては、使用制限の信頼性を保つために、携帯電話機に内蔵された使用制限解除ユニットと、識別信号送信ユニットとの間で、頻繁に無線通信を行う必要がある。その結果、携帯電話機が保持する有限な電力の消費量が増加してしまうといった事情があった。
【０００５】
また、頻繁に行われる通信により、その電波が他の通信機器に対して影響を及ぼす場合がある。特に、人の多いところでは、無線電波による干渉によって、使用制限判定に誤りが生じかねないといった事情があった。
【０００６】
さらに、携帯電話機に内蔵された使用制限解除ユニットと識別信号送信ユニットとの間が一定距離以内ならば、他人が所有者の意思に反して携帯電話機を使用できてしまうといった事情があった。
【０００７】
本発明は、上記の事情に鑑みてなされたものであって、省電力かつ外部への影響を低減して使用制限の制御を行うことが可能な携帯端末装置及びその使用制限方法を提供することを目的とする。
【課題を解決するための手段】
【０００８】
本発明の携帯端末装置は、所定の機能についての使用制限を制御する機能制御手段と、指定された認証開始操作がなされたときに認証開始指示を出力する認証開始手段と、前記認証開始指示に基づいて、外部の無線装置に対して認証要求を行う認証要求送信手段と、前記無線装置から、前記認証要求に対する認証応答を受信する認証応答受信手段と、前記受信した認証応答に基づいて、前記使用制限の解除を許諾可能な無線装置からのものであるかを判定し、前記無線装置との距離が第一の距離より短い場合に、認証成立の判定を行う認証判定手段とを備え、前記機能制御手段は、前記認証判定手段による認証が成立している間のみ、前記所定の機能の使用制限を解除する。
【０００９】
この構成により、使用制限の解除が必要なときのみ認証を行うので、使用制限に要する電力や、他の通信装置への影響を低減させることができる。
【００１０】
また、本発明の携帯端末装置は、前記認証開始操作として認証開始の入力を受け付ける認証開始指示入力手段を更に備える。
【００１１】
この構成により、認証開始指示の入力を行うことで認証が開始するので、使用者が認証の開始を意図するときのみに認証を行うことができる。
【００１２】
また、本発明の携帯端末装置において、前記認証判定手段は、指定された操作を検出したときに、前記認証成立を解除する。
【００１３】
この構成により、指定した操作を行うことで認証成立が解除され、所定の機能の使用が制限された状態になるので、使用者が意図しないときの携帯端末装置の使用を制限することができる。
【００１４】
また、本発明の携帯端末装置において、前記認証判定手段は、操作入力が所定時間検出されない場合に前記認証成立を解除する。
【００１５】
この構成により、操作入力が所定時間検出されない場合に認証成立が解除され、所定の機能の使用が制限された状態になるので、使用者が自ら使用制限の指示をせずに携帯端末装置の使用を制限することができる。
【００１６】
また、本発明の携帯端末装置において、前記認証成立された後に、前記認証要求送信手段、前記認証要求応答受信手段は前記無線装置との認証動作を所定時間毎に行い、前記認証判定手段は、前記認証された無線装置との距離が、前記第一の距離より長い第二の距離を超えた場合に、前記認証成立を解除する。
【００１７】
この構成により、使用者が携帯端末装置から離れたときに、所定の機能の使用を制限することができる。
【００１８】
また、本発明の携帯端末装置は、前記使用制限の解除を許諾可能な複数の無線装置の各々に対応付けられた識別情報を記憶する識別情報記憶手段を更に備え、前記認証応答判定手段は、前記受信した認証応答に含まれる無線装置の識別情報と前記記憶された識別情報とを比較して、前記受信した認証応答が認証可能な無線装置からのものであるかを判定すると共に、どの無線装置のものかを特定し、前記機能制御手段は、前記特定された無線装置に対する認証が成立した場合に、前記特定された無線装置に対応した機能の使用制限を解除する。
【００１９】
この構成により、無線装置に対応した機能の使用制限を解除するので、複数の使用者が一台の携帯端末装置を共用することができる。
【００２０】
また、本発明の携帯端末装置は、前記認証判定手段が、所定距離以内に、前記使用制限の解除を許諾可能な無線装置が複数存在すると判定した場合に、候補となる無線装置を提示する提示手段を更に備える。
【００２１】
この構成により、複数の使用者が一台の携帯端末装置を共用する場合において、所定の領域に複数の候補となる使用者が存在するときに提示することができる。
【００２２】
また、本発明の携帯端末装置において、前記機能制御手段は、前記特定された無線装置に対する認証が成立した場合に、前記特定された無線装置に対応したデータを外部から取得する。
【００２３】
この構成により、携帯端末装置に複数の使用者毎にデータを分けて記憶させる必要がないので、複数使用者の認証機能以外に特別な機能を設けることなく、複数の使用者に対応することができる。
【００２４】
また、本発明の携帯端末装置において、前記機能制御手段は、前記特定された無線装置に対する認証が成立状態から不成立状態に遷移した場合に、前記外部から取得した特定された無線装置に対応したデータを自動的に破棄する。
【００２５】
この構成により、携帯端末装置の置き忘れをした場合に、携帯端末措置内の認証成立時に使用したデータを第三者に見られることがないように自動的に保護することができる。
【００２６】
本発明の使用制限方法は、所定の機能の使用制限を制御する携帯端末装置の使用制限方法であって、指定された認証開始操作がなされたときに認証開始指示を出力するステップと、前記認証開始指示に基づいて、外部の無線装置に対して認証要求を行うステップと、前記無線装置から、前記認証要求に対する認証応答を受信するステップと、前記受信した認証応答に基づいて、前記使用制限の解除を許諾可能な無線装置からのものであるかを判定するステップと、前記無線装置との距離を検出するステップと、前記認証応答が前記使用制限の解除を許諾可能な無線装置からのものであり、かつ、前記無線装置との距離が第一の距離より短い場合に、認証成立の判定を行うステップと、前記認証判定手段による認証が成立している間のみ、前記所定の機能の使用制限を解除するステップとを有する。
【００２７】
この構成により、使用制限の解除が必要なときのみ認証を行うので、使用制限に要する電力や、他の通信装置への影響を低減させることができる。
【発明の効果】
【００２８】
本発明によれば、省電力かつ外部への影響を低減して使用制限の制御を行うことが可能な携帯端末装置及びその使用制限方法を提供することができる。
【発明を実施するための最良の形態】
【００２９】
以下、本発明の実施形態に係る携帯端末装置の使用制限システム及び使用制限方法について、図面を用いて説明する。ここでは、携帯端末装置の一例として、開閉式の携帯電話である場合について説明するが、他に、携帯情報端末（ＰＤＡ）他に携帯型ゲーム機等が挙げられる。また、携帯電話は、必ずしも開閉式の携帯電話に限られるわけでなく、開閉式でない携帯電話であってもよい。
【００３０】
図１は、本発明の実施形態に係る携帯電話の使用制限システムの概略構成を示すブロック図である。本システムは、同一の携帯電話１と、使用者に携帯される無線装置であるキー３との間で認証を行って携帯電話１の機能の使用を制限するものである。本実施形態では、使用制限の対象となる機能を、携帯電話１の認証機能を除く全ての機能とする。したがって、携帯電話１は、使用制限中は所謂ロックした状態となる。なお、使用制限の対象の機能を一部の所定の機能とのみとしてもよく、また、その機能は、使用者により選択可能としてもよい。
【００３１】
なお、携帯電話１及びキー３は、それぞれ独自に設定された識別情報である携帯電話コード、キーコードを記憶しており、この携帯電話コード及びキーコードを用いて認証が行われる。
【００３２】
携帯電話１は、メモリ１１と、認証判定・機能制御部１２と、変調・無線送信部１３と、アンテナ１４と、無線受信・復調部１５と、電力制御部１６と、認証ボタン１８を有する操作部１７と、発光ダイオード（以下、ＬＥＤ）１９と、表示部２０と、無線部２１と、アンテナ２２とを備える。
【００３３】
メモリ１１は、使用制限の解除を許諾可能な所有者が有するキー３のキーコードを、関連付け済み認証キーとして記憶する。なお、このキーコードは複数記憶可能であり、図１の例では二つのキーコード（キーコードＡ、キーコードＢ）が記憶されている。
【００３４】
認証判定・機能制御部１２は、キー３から送信されたキーコードをメモリ１１に記憶されているキーコードと比較して認証判定を行い、その判定結果に応じて、携帯電話１の所定の機能の使用制限を制御する。また、認証判定・機能制御部１２は、携帯電話コードを記憶している。
【００３５】
変調・無線送信部１３は、認証判定・機能制御部１２から出力された携帯電話コードを変調し、アンテナ１４を介して無線信号を送信する。無線受信・復調部１５は、アンテナ１４を介して受信したキー３からの無線信号を受信してキーコードを復調し、受信した無線信号の電力と共に認証判定・機能制御部１２に出力する。電力制御部１６は、認証判定・機能制御部１２の指示に応じて、変調・無線送信部１３及び無線受信・復調部１５の電力を制御する。
【００３６】
操作部１７は、キー３に対する認証動作を行うための入力を受け付ける認証ボタン１８を有する。また、使用者からの操作入力を受け付けるテンキー等を有する。
【００３７】
ＬＥＤ１９は、例えば、認証判定・機能制御部１２によりキー３に対する認証が成立している間に発光する。表示部２０は、携帯電話１の各種の機能等の表示を行う。
【００３８】
無線部２１は、例えば、キー３との通信方式とは異なる通信方式で無線通信を行うものである。本実施形態では、携帯電話網へ接続して、アンテナ２２を介して不図示の基地局装置と通信するものとする。
【００３９】
キー３は、アンテナ３１と、無線受信・復調部３２と、メモリ３３と、認証判定部３４と、変調・無線送信部３５とを備える。
【００４０】
無線受信・復調部３２は、アンテナ３１を介して、携帯電話１から送信された無線信号を受信して携帯電話コードを復調し、受信した無線信号の電力と共に認証判定部３４に出力する。
【００４１】
メモリ３３は、自身のキー３にて認証可能な携帯電話１の携帯電話コードを、関連付け済み携帯電話キーとして記憶する。なお、この携帯電話コードは複数記憶可能であり、図１の例では二つの携帯電話コード（携帯電話コードＡ、携帯電話コードＢ）が記憶されている。
【００４２】
認証判定部３４は、自身に設定されたキーコードを有し、無線受信・復調部３２から出力された携帯電話コードと、メモリ３３に記憶されている携帯電話コードとを比較して認証を行い、一致する携帯電話コードが存在すれば、自身のキーコードを変調・無線送信部３５へ出力する。
【００４３】
変調・無線送信部３５は、認証判定部３４から出力されたキーコードを変調し、アンテナ３１を介して無線信号を送信する。
【００４４】
なお、キー３は、携帯電話１からの電波により電力が供給される構成を備えることが好ましい。これにより、キー３に電池を不要とすることができる。
【００４５】
図２は本発明の実施形態に係る携帯電話の外観を示す図であり、図２（Ａ）は筐体を開いた状態、図２（Ｂ）は筐体を閉じた状態を示す。図２に示すように、携帯電話１は、開閉可能に接続された第一の筐体１０Ａ及び第二の筐体１０Ｂを有する。そして、認証ボタン１８は、携帯電話１を手で握ったときに押せる位置、例えば、第二の筐体１０Ｂの側面に取り付けられている。また、ＬＥＤ１９が、筐体の開閉状態に関わらず外部に露出する位置、例えば、上筐体の側面に取り付けられている。
【００４６】
次に、本発明の実施形態に係る携帯電話の使用制限システムの動作について説明する。携帯電話１は、使用者が身に付けているキー３を対する認証が成立している間のみ、使用制限が解除された状態となる。
【００４７】
そこで、本実施形態では、使用者が認証ボタンを押すことで、使用者が携帯電話を使用する意思があると判断し、認証を行う。以下、携帯電話１が使用制限状態にあるときに認証を行う場合を初期認証という。
【００４８】
図３は、本発明の実施形態に係る初期認証の方法を示す図である。使用者が携帯電話１からキー３に対して初期認証を行う場合、携帯電話１の使用者が認証ボタン１８を押下することにより、初期認証を開始する。この初期認証は、携帯電話１からキー３に出力する電力を小さくして行い、近距離（例えば、３０ｃｍ程度以内）にて認証可能とする。これにより、認証を行うことを意図した使用者のキー３のみに対して認証動作を行うことができる。また、携帯電話１の消費電力を低減させることができる。また、周囲の通信機器に与える影響を低減することが可能となる。
【００４９】
上記構成のシステムにおいて、携帯電話１の認証ボタン１８が押されると、認証判定・機能制御部１２は、キー３への認証要求として携帯電話コードが出力する。この携帯電話コードは、変調・無線送信部１３及びアンテナ１４を介して無線信号として送信される。なお、送信される無線信号の送信出力は、電力制御部１６により、近距離のみに到達可能な出力である。
【００５０】
キー３が携帯電話１と近接した位置にあれば、携帯電話１から送信された無線信号は、キー３のアンテナ３１及び無線受信・復調部３２を介して受信し、携帯電話コードが復調される。認証判定部３４は、復調した携帯電話コードと、メモリ３３に記憶されている携帯電話コードとを比較する。この比較判定により携帯電話コードが記憶されたものと一致した場合、認証判定部３４は自分のキーコードを変調・無線送信部３５を認証応答として送信する。認証判定部３４から出力されたキーコードは、変調・無線送信部３５及びアンテナ３１を介して無線信号として送信される。
【００５１】
携帯電話１は、キー３から送信された無線信号をアンテナ１４及び無線受信・復調部で受信してキーコードを復調する。そして、認証判定・機能制御部１２は、受信したキーコードと、メモリ１１に記憶されているキーコードとを比較する。この比較判定により、キーコードが記憶されたものと一致した場合、認証判定・機能制御部１２は、認証が成立したと判定し、制限されている機能を、キーコードに対応した機能の使用制限を解除する。例えば、キーコードが使用者Ａのキー３を示すものであれば、使用者Ａの電話帳データ等のユーザーデータを呼び出すことが可能となる。
【００５２】
なお、認証が成立したら、認証成立したキーコードに対応した情報（認証されたユーザのデータ）を、無線部２１及びアンテナ２２を介して、外部のサーバ５（図１参照）から取得してもよい。これにより、携帯端末装置に複数の使用者毎にデータを分けて記憶させる必要がないので、複数使用者の認証機能以外に特別な機能を設けることなく、複数の使用者に対応することができる。
【００５３】
また、認証判定・機能制御部１２は、特定されたキー３に対する認証が成立状態から不成立状態に遷移した場合に、外部のサーバ５（図１参照）から取得した、特定されたキー３に対応した認証されたユーザのデータを自動的に破棄してもよい。これにより、携帯電話１の置き忘れをした場合に、携帯電話１内の認証成立時に使用したデータを第三者に見られることがないように自動的に保護することができる。
【００５４】
図４は、本発明の実施形態に係る初期認証の状態を示す図であり、図４（Ａ）は初期認証が可能な状態、図４（Ｂ）は初期認証が不可の状態、図４（Ｃ）は初期認証成立後の状態をそれぞれ示している。
【００５５】
図４（Ａ）に示すように、携帯電話１とキー３とが近距離であれば初期認証が成立し、図４（Ｂ）に示すように、携帯電話１とキー３とが離れていれば初期認証が成立しない。また、図４（Ｃ）に示すように、初期認証が成立すると、携帯電話１とキー３とが初期認証を行う距離より離れたとしても、認証成立状態が継続し、携帯電話１の使用制限状態が解除されている。
【００５６】
上記のように認証成立状態は、所定の規則により解除される。すなわち、所定の規則により、携帯電話１が使用制限状態に戻る。この所定の規則の例としては、認証成立状態における認証ボタン１８の押下や、筐体が閉じられる等、認証・機能制御部１２が指定された操作を検出したときが挙げられる。他の例としては、所定時間（例えば秒単位）、操作入力が検出されなかった場合が挙げられる。この場合、認証成立状態の解除前に、ＬＥＤ１９を点滅で知らせる方法がある。
【００５７】
また、更に他の例としては、初期認証後は、認証が成立したキー３に対して、電力制御部１６により初期認証より大きな電力で認証動作を所定時間毎に行い、初期認証を行った近距離（第一の距離）よりも遠い第二の距離（例えば、３ｍ）以内にキー３が存在する限り認証成立状態を継続し、第二の距離以上離れたと判定した場合（第二の距離がキー３との通信可能距離であれば、通信が切断したと判定した場合）に、認証成立状態を解除するものも挙げられる。
【００５８】
このようにして、認証判定・機能制御部１２は、認証ボタン１８が押されるなど、指定された認証開始操作がなされたときに、自身の携帯電話コードを出力することにより認証開始指示を行い、変調・無線送信部１３がキー３に対して認証要求を行う。これにより、必要としたときのみに認証を行うことにより、消費電力及び周囲への影響を低減させることができる。
【００５９】
なお、認証開始操作としては、認証ボタン１８による押下に限られず、筐体の不図示の開閉センサによりが開いたことを検出された場合、不図示の加速度センサにより所定の加速度パターンが検出された場合、キーロック解除操作が入力された場合等でもよい。
【００６０】
また、無線受信・復調部１５は、キー３からの認証要求に対する認証応答を受信し、認証判定・機能制御部１２は、受信した認証応答に基づいて、使用制限の解除を許諾可能なキー３からのものであるかを判定し、また、キー３との距離が近距離である場合に、認証成立の判定を行う。
【００６１】
なお、上記の実施形態では、キー３が、キー３に対する認証要求の到達距離以内でなければ認証応答が返ってこないので、キー３との距離が近距離であるか否かは、認証応答の有無で判定することができる。ただし、キー３に対する認証要求を、近距離より遠くまで届くように送信し、返ってきた認証応答の受信電力や誤り率等から距離を判定してもよい。
【００６２】
次に、複数の人が同じ携帯電話を使用する場合の認証方法や、一つのキー（同じ所有者）で複数の携帯電話の認証方法について説明する。
【００６３】
図５は１つのキーで複数の携帯電話を使用する場合の説明図であり、図６は複数のキーで１つの携帯電話を使用する場合の説明図である。
【００６４】
携帯電話とキーとは予め関連付けてそれぞれのメモリに識別コードが記憶されているが、この関連付けにおいて、キーの所有者のユーザ名を携帯電話１のメモリ１１に登録しておく。この登録された名前は、携帯電話１とキー３が認証を行ったときにキー所有者の名前を表示部２０に表示する場合に使用することができる。これは、キーの悪用複製などの安全性面でキーそのものの識別情報は表示できないためである。
【００６５】
図５に示す例は、携帯電話１ａに所有者Ａ氏のキー３ａを関連付けし、携帯電話１ｂにも所有者Ａ氏のキー３ａを関連付けしたものである。Ａ氏は１つのキー３ａで２台の携帯電話１ａ、１ｂを利用することができる。携帯電話１ａの認証エリアＡＡと、携帯電話１ｂの認証エリアＡＢとが重なるところにキー３ａが存在する場合、Ａ氏は１つのキー３ａで２台の携帯電話１ａ、１ｂを同時に利用することができる。また、認証エリアＡＡに、携帯電話１ａにおいて関連付けられていないキー３ｂが存在したとしても、携帯電話１ａは、キー３ｂとの認証は成立しない。
【００６６】
図６に示す例は、は携帯電話１ａに所有者Ａ氏のキー３ａと所有者Ｂ氏のキー３ｂを関連付けしたものである。携帯電話１ａは、Ａ氏とＢ氏２人とも利用することができる。
【００６７】
複数のキー（人）が同じ携帯電話を共用して使用したい場合、携帯電話は認証時（認証ボタンを押すとき）に、認証圏内にいるキーを持つ候補をチェックする。このとき、各キーとの電波伝播距離を電界強度で測定することで、遠距離認証エリア、近距離認証エリア、認証圏外（通信はできるが伝播距離が遠い場合と通信できないエリア）に分けることができる。
【００６８】
図７は本発明の実施形態に係る認証方法の手順を示すフローチャートである。ユーザが認証ボタン１８を押した場合（ステップＳ１）、認証判定・機能制御部１２は、本人が認証を求めていると判断する。そして、携帯電話１は、無線通信を使用して認証要求を行い、周囲のキーからの認証応答を監視することにより、周囲のキー（第一の範囲を含む第二の範囲内に存在するキー）を検索する（ステップＳ２）。その結果、認証キーが見つからない場合や近距離（第二の範囲より狭い第一の範囲内）の認証キーが複数存在する場合（ステップＳ３のＹＥＳ）は、キー検索エラー、つまり認証エラーと判定する（ステップＳ４）。
【００６９】
しかし、第二の範囲にキーが存在し（ステップＳ３のＮＯ）、かつ第一の範囲にキーが一つ存在した場合は（ステップＳ５のＹＥＳ）、その第一の範囲内のキーのユーザに対する認証が成立する（ステップＳ９）。
【００７０】
第一の範囲にキーが一つ存在しない（ステップＳ５のＮＯ）、すなわち、第二の範囲にはキーが存在するものの、第一の範囲内にキーが存在しない場合は、携帯電話１は、キー３からの無線信号の受信強度や誤り率等により距離を求め、距離の近い順に存在するキーに対応するキーユーザを候補として表示し、更にその候補の選択又は再認証を促す表示を表示部２０に行う（ステップＳ６）。ユーザが候補を選択（ステップＳ７の（２））してパスワード認証を行った場合は（ステップＳ８）、認証成立となる（ステップＳ９）。認証が成立すると、そのユーザに対応した機能の使用制限が解除となる。
【００７１】
第一の範囲で認証を行うことは、キーをどこに持っているかの物理的位置を第三者に知られる可能性があるが、このようにキーの物理的位置の特定困難な第二の範囲内でもパスワードを組合せることで初期認証可能にする手段も持たせ、ユーザの使用状況に応じて使い分けできるようにする。
【００７２】
候補が選択されない場合には、再認証を行うための認証ボタン押下を待機し、再認証ボタン押下（ステップＳ７の（１））があれば再びキーの検索を行う（ステップＳ２）。所定時間操作入力がない場合には、処理を終了してもよい。
【００７３】
図８は本発明の実施形態に係る複数ユーザ対応の携帯電話の認証状態を示す説明図である。図８に示すように、携帯電話１に登録されたキー３ａが第一の範囲Ａ１内に一台のみ存在する場合には、認証が成立する。
【００７４】
また、キー３ａが存在せず、また、第二の範囲Ａ２内に携帯電話１に登録されたキー３ｂ、３ｃが存在する場合には、候補を選択したり再認証を行うことにより、認証を行う。また、第二の範囲Ａ２内にキー３ｘが存在したとしても、携帯電話１に登録されていない場合には認証の対象とならない。また、携帯電話１に登録されていたとしても、キー３ｄのように第二の範囲Ａ２より外に存在する場合には、認証の対象とならない。
【００７５】
また図９は、本発明の実施形態に係る複数ユーザ対応の携帯電話の認証時の画面表示を示す図であり、図９（Ａ）は図７のＳＴＡＲＴ時点の認証選択画面、図９（Ｂ）は図７のステップＳ７すなわちステップＳ６にて検索された候補を表示し、再認証するかログインするユーザを選択するかをユーザに選択させる画面、図９（Ｃ）は、図７のステップＳ８におけるログイン画面を示している。
【００７６】
このように、複数のキーに対して、認証をキーと携帯電話の距離、そしてボタン操作とで判断することで、共通に使用する携帯電話の認証が容易に行えるようになる。しかも、携帯電話内部で複数の関連付けユーザの情報を個別に持つことができ、認証されたキーごとにその情報を使用できるようになる。
【００７７】
図１０は携帯電話の使用制限例を示す図である。図１０（Ａ）はＡ氏と認証している場合で、携帯電話ＡはＡ氏の通話料金サービス、Ａ氏のアドレス帳、Ａ氏の電子マネー等を使用することができる。図１０（Ｂ）はＡ氏と認証している場合で、Ｂ氏は認証できないことを示している。図１０（Ｃ）はＢ氏と認証している場合で、携帯電話ＡはＢ氏の通話料金サービス、Ｂ氏のアドレス帳、Ｂ氏の電子マネー等を使用することができる。
【００７８】
初期認証成立後は、認証継続の一定規則に従って認証成立状態を維持又は解除する。また、このとき、長期時間間隔（１０秒など）で、無線によるポーリングや安全のためのキーコードの変更などを行っても良い。
【００７９】
また、一度遠距離認証領域に移行して一定時間経過した後に、クレジット機能など決済機能や、アドレス帳など個人情報の参照機能を使用する場合には、アプリケーションから再度近距離認証エリアでの認証を行わせるように指示しても良い。さらに、認証切断（ＬＥＤを消灯）して、再認証（認証ボタンを押す作業）を促しても良い。
【００８０】
このように、本実施形態では、携帯電話で、いずれかのキーから送信されたそれぞれのキーコードを予め記憶したキーコードと比較して認証判定を行う認証判定工程と、各キーで、携帯電話から送信された固有の携帯コードを予め記憶した携帯コードと比較して認証判定を行う認証判定工程とを有し、上記の携帯電話と各キーとの間の送受信を所定距離以内の近距離無線通信で行うようにしている。
【００８１】
このため、携帯電話の置き忘れ、盗難などによる所有者の意思に反した無断使用を防止でき、また所有者の意思で容易に制限解除を行うことができる。また、ボタン操作で電波を飛ばし、初期認証を行い、常時ポーリング（数秒未満）を行わないので、消費電力を小さくでき、電波による妨害を防ぐことができる。
【００８２】
さらに、認証成立状態の継続は、意図的な操作による切断又は無操作時間経過で切断でき、長周期（１０秒）ポーリングによる距離測定による切断もできる。また、自動認証許可は、近距離でボタンを押された場合のみで、複数のキーと複数の携帯電話を関連付けでき、個別の認証に対して個別の携帯電話内部情報を使用可能にすることができ、同一の携帯電話を複数の人が使用可能になる。
【産業上の利用可能性】
【００８３】
本発明の携帯端末装置は、省電力かつ外部への影響を低減して使用制限の制御を行うことが可能な効果を有し、携帯電話の使用制限等に有用である。
【図面の簡単な説明】
【００８４】
【図１】本発明の実施形態に係る携帯電話の使用制限システムの概略構成を示すブロック図
【図２】本発明の実施形態に係る携帯電話の外観を示す図
【図３】本発明の実施形態に係る初期認証の方法を示す図
【図４】本発明の実施形態に係る初期認証の状態を示す図
【図５】１つのキーで複数の携帯電話を使用する場合の説明図
【図６】複数のキーで１つの携帯電話を使用する場合の説明図
【図７】本発明の実施形態に係る認証方法の手順を示すフローチャート
【図８】本発明の実施形態に係る複数ユーザ対応の携帯電話の認証状態を示す説明図
【図９】本発明の実施形態に係る複数ユーザ対応の携帯電話の認証時の画面表示を示す図
【図１０】本発明の実施形態に係る複数ユーザ対応の携帯電話の使用制限例を示す図
【符号の説明】
【００８５】
１  携帯電話
３  キー
５  サーバ
１１  メモリ
１２  認証判定・機能制御部
１３  変調・無線送信部
１４  アンテナ
１５  無線受信・復調部
１６  電力制御部
１７  操作部
１８  認証ボタン
１９  ＬＥＤ
２０  表示部
２１  無線部
２２  アンテナ
３１  アンテナ
３２  無線受信・復調部
３３  メモリ
３４  認証判定部
３５  変調・無線送信部
【図１】
2006319649.tif 000003
【図２】
2006319649.tif 000004
【図３】
2006319649.tif 000005
【図４】
2006319649.tif 000006
【図５】
2006319649.tif 000007
【図６】
2006319649.tif 000008
【図７】
2006319649.tif 000009
【図８】
2006319649.tif 000010
【図９】
2006319649.tif 000011
【図１０】
2006319649.tif 000012